(57)【要約】【課題】  光端末ユニットの構成を簡略化し、かつ低コストとする。【解決手段】  光端末ユニット２ｄは、変調光信号を受けるフォトダイオード２６を有している。このフォトダイオードのカソードが接地され、アノードが抵抗器４６を介して接地されることによって、無バイアス状態で動作する。【選択図】        図８
2011078142.tif 000002
【特許請求の範囲】
【請求項１】
光送信機において光信号を共同受信信号で変調した変調光信号を、光伝送線路を介して受光する光端末ユニットであって、
前記変調光信号を受けるフォトダイオードを有し、このフォトダイオードのカソードとアノードとが、前記フォトダイオードに対して直列に接続された負荷を介して、かつ無バイアス状態で接続されている光端末ユニット。
【請求項２】
請求項１記載の光端末ユニットにおいて、前記フォトダイオードを挟んで前記負荷と反対側に電圧降下用抵抗器が接続され、前記負荷と前記フォトダイオードと前記電圧降下用抵抗器とが直列に接続されている光端末ユニット。
【請求項３】
請求項１記載の光端末ユニットにおいて、前記フォトダイオードの前記フォトダイオードのカソードとアノードとの間を、前記無バイアス状態及び逆バイアス回路による逆バイアス状態のいずれか一方に切り換える切換手段を設けた光端末ユニット。
【発明の詳細な説明】
【技術分野】
【０００１】
本発明は、光ファイバーで伝送された光信号を電気信号に変換する光端末ユニットに関する。
【背景技術】
【０００２】
光信号を使用して例えば共同受信施設を構成することがある。この場合、共同受信施設の加入者端末では、光信号を電気信号に変換する必要がある。この変換に使用する光端末ユニットの一例が、特許文献１に開示されている。この技術では、フォトダイオードのアノード側をバイアス抵抗器を介して接地し、カソード側をローパスフィルタを介して正の直流電源に接続し、フォトダイオードに逆バイアスを与えている。フォトダイオードが受光したことにより、フォトダイオードに発生した電流をアノード側及びカソード側からそれぞれ取り出し、増幅器によって増幅した後に合成している。
【先行技術文献】
【特許文献】
【０００３】
【特許文献１】特開２００５−５１５０４号公報
【発明の概要】
【発明が解決しようとする課題】
【０００４】
特許文献１に開示された技術によれば、フォトダイオードを逆バイアスしているので、逆バイアス用の直流電源を光端末ユニットが備えている必要がある。この光端末ユニットは、屋外に設置されることが多いので、直流電源を動作させるためには、光端末ユニットに商用交流電源を供給するための電源線を敷設したり、光端末ユニットから屋内に敷設されている出力伝送用のケーブルに、屋内に設けた電源装置から動作電力を重畳したりする必要があり、光端末ユニットの構成が複雑になる上に、コストも高くなる。
【０００５】
本発明は、構成が簡単で、かつ低コストで光端末ユニットを、提供することを目的とする。
【課題を解決するための手段】
【０００６】
本発明の一態様の光端末ユニットは、光送信機において光信号を共同受信信号で変調した変調光信号を、光伝送線路を介して受光するものである。この光端末ユニットは、前記変調光信号を受けるフォトダイオードを有し、このフォトダイオードのカソードとアノードとが、前記フォトダイオードに対して直列に接続された負荷を介して、かつ無バイアス状態で接続されている。
【０００７】
上記の態様の光端末ユニットにおいて、前記フォトダイオードを挟んで前記負荷と反対側に電圧降下用抵抗器を接続することができる。この場合、前記負荷と前記フォトダイオードと前記電圧降下用抵抗器とが直列に接続されている。
【０００８】
上記の態様の光端末ユニットにおいて、前記フォトダイオードのカソードとアノードとの間を、前記無バイアス状態及び逆バイアス回路による逆バイアス状態のいずれか一方に切り換える切換手段を設けることもできる。
【発明の効果】
【０００９】
以上のように、本発明による光端末ユニットは、構成を簡略化することができ、かつ低コストとすることができる。
【図面の簡単な説明】
【００１０】
【図１】本発明の第１の参考例の光共同受信施設で使用する光端末ユニットの回路図である。
【図２】本発明の第１の参考例の光共同受信施設のブロック図である。
【図３】図１の光端末ユニットの光入力レベル対高周波出力レベル特性図である。
【図４】本発明の第２の参考例の光共同受信施設の光端末ユニットの回路図である。
【図５】図４の光端末ユニットの光入力レベル対高周波出力レベル特性図である。
【図６】本発明の第３の参考例の光共同受信施設の光端末ユニットの回路図である。
【図７】本発明の第４の参考例の光共同受信施設の光端末ユニットの回路図である。
【図８】本発明の第１の実施形態の光共同受信施設の光端末ユニットの回路図である。
【図９】本発明の第２の実施形態の光共同受信施設の光端末ユニットの回路図である。
【図１０】本発明の第５の参考例の光共同受信施設の光端末ユニットの回路図である。
【発明を実施するための形態】
【００１１】
本発明の第１の参考例の光端末ユニット２は、図２に示すような共同受信施設に使用される。この共同受信施設では、地上デジタル放送用アンテナ４で受信されたＵＨＦ帯の地上デジタルテレビジョン放送信号を地上デジタル放送受信用アンプ６で増幅する。同様にＦＭ専用アンテナ８で受信したＦＭ放送信号をチャンネルプロパアンプ１０で増幅する。２つのアンプ６、１０の増幅信号を混合器１２で混合し、この混合出力を屋外型Ｕ・Ｖ光送信機１４に伝送する。屋外型Ｕ・Ｖ光送信機１４には、衛星放送受信用アンテナ１６のコンバータ１６ａからの衛星放送中間周波信号も供給されている。屋外型Ｕ・Ｖ光送信機１４は、これら供給された地上デジタルテレビジョン放送信号、ＦＭ放送信号及び衛星放送中間周波信号で光信号を変調し、変調光信号を出力する。
【００１２】
この変調光信号は、光伝送線路、例えば光ファイバで伝送されるが、この光ファイバの中途には、それぞれ光分配器、例えば光カプラクロージャ１８ａ、１８ｂ、１８ｃ等が設けられ、これらによって変調光信号は分配されて、各端末、例えば各家庭２０に伝送される。
【００１３】
各家庭２０の屋外に、光端末ユニット２がそれぞれ設けられ、これには、光ファイバで伝送された光変調信号が供給されている。光端末ユニット２は、光変調信号を高周波信号、例えば地上デジタルテレビジョン放送信号、ＦＭ放送信号及び衛星放送中間周波信号に変換し、屋内の信号処理装置２２に供給する。信号処理装置２２は、地上デジタルテレビジョン放送信号、ＦＭ放送信号及び衛星放送中間周波信号を復調して、テレビジョン受像機２４において視聴可能とする。
【００１４】
図１に示すように、光端末ユニット２は、フォトダイオード２６を有している。フォトダイオード２６は、光ファイバによって伝送された光変調信号を受光する。
【００１５】
アノードとカソードとは、負荷、例えば変成器、例えば高周波トランス２８の一次巻線２８ｐ間に接続されている。一次巻線２８ｐは中間タップ２８ｔを有するもので、中間タップ２８ｔは基準電位、例えば接地電位に接続されている。また、フォトダイオード２６のアノードは、高周波阻止コイル３０を介して接地電位に接続されている。これによってアノードは、高周波的には接地されていない。
【００１６】
高周波トランス２８の二次巻線２８ｓの一端は接地され、他端はコンデンサ３２を介して出力端子３４に接続されている。出力端子３４は、図示していない伝送線路、例えば同軸ケーブルを介して信号処理装置２２に供給されている。
【００１７】
この光端末ユニット２では、フォトダイオード２６には、バイアスが供給されてなく、無バイアス状態で使用されている。
【００１８】
このように構成された光端末ユニット２では、フォトダイオード２６が変調光信号を受光すると、高周波トランス２８の一次巻線２８ｐに電流が流れ、二次巻線２８ｓに電圧（地上デジタルテレビジョン放送信号、ＦＭ放送信号及び衛星放送中間周波信号に相当する電圧）が誘起され、これがコンデンサ３２、出力端子３４を介して信号処理装置２２に供給される。しかも、図３に示すように、フォトダイオード２６に入力される光変調信号のレベルが大きくなればなるほど、二次巻線２８ｓから出力されるレベルが大きくなる。従って、光変調信号の入力レベルが高くなっても、信号処理装置２２に供給する地上デジタルテレビジョン放送信号、ＦＭ放送信号及び衛星放送中間周波信号を大きくすることができ、最大光入力レベルが規定できる場合に有効で、通常使用される光入力レベル０ｄＢｍ以下では問題なく使用することができる。
【００１９】
図４に本発明の第２の参考例の光端末ユニット２ａを示す。この光端末ユニット２ａは、フォトダイオード２６のカソードを電圧降下素子、例えば抵抗器３６を介して接地すると共に、カソードをコンデンサ３８を介して高周波トランス２８の一次巻線２８ｐの一端に接続したものである。他の構成は、第１の実施形態の光端末ユニット２と同一であるので、同一部分には同一符号を付して、その説明を省略する。
【００２０】
第１の参考例の光端末ユニット２では、光変調信号のフォトダイオード２６への入力レベルが高くなりすぎると、出力端子３４から出力される地上デジタルテレビジョン放送信号、ＦＭ放送信号及び衛星放送中間周波信号のレベルが高くなりすぎ、信号処理装置２２において歪が増加する可能性が高くなる。そこで、第２の実施形態の光端末ユニット２ａでは、フォトダイオード２６に発生している電流が予め定めた値を超えると、抵抗器３６に流れる電流が大きくなり、抵抗器３６間に発生する電圧が大きくなり、高周波トランス２８の一次巻線２８ｐに供給される電圧が低くなり、光変調信号の入力レベルが大きくなっても、出力端子３４から出力される地上デジタルテレビジョン放送信号、ＦＭ放送信号及び衛星放送中間周波信号のレベルは、図５に示すように大きくならない。
【００２１】
図６に第３の参考例の光共同受信施設の光端末ユニット２ｂを示す。この光端末ユニット２ｂは、第２の参考例の光端末ユニット２ａの抵抗器３６を除去し、切換スイッチ４０の接触子４０ａをコンデンサ３８とフォトダイオード２６のカソードとの接続点に接続し、接触子４０ａが接触可能な接点４０ｂを接地し、同じく接触子４０ａが接触可能な接点４０ｃに抵抗器４２を介して逆バイアス用電源、例えば電池４４の正極を接続し、電池４４の負極を接地してある。即ち、抵抗器４２、電池４４からなる逆バイアス回路がフォトダイオード２６に接続された状態と、フォトダイオード２６の無バイアス状態とを、切換スイッチ４０の操作によって切換えることができる。なお、他の構成は、第２の参考例の光端末ユニット２ａと同一であるので、同一部分には同一符号を付して、その説明を省略する。
【００２２】
第１の参考例の光端末ユニット２では、フォトダイオードに入力される光変調信号のレベルが大きくなると、地上デジタルテレビジョン放送信号同士、ＦＭ放送信号同士及び衛星放送中間周波信号同士間で或いは地上デジタルテレビジョン放送信号、ＦＭ放送信号及び衛星放送中間周波信号間で相互歪が発生し、伝送信号品質が劣化する可能性がある。従って、フォトダイオードに入力される光変調信号のレベルが大きい場合には、切換スイッチ４０を操作して、逆バイアス回路から逆バイアスをフォトダイオード２６に与える。この場合、能動素子としては、フォトダイオード２６のみしか使用していないので、直流電源としては例えば乾電池のような電池４４を使用することができ、商用交流電源を供給するための配線等が不要になり、製造が容易になるし、コストも低下させることができる。
【００２３】
図７に第４の参考例の光共同受信施設の光端末ユニット２ｃを示す。この光端末ユニット２ｃは、第２の参考例の光端末ユニット２ａに切換スイッチ４０と電池４４とを設けたもので、第２及び第３の参考例の光端末ユニット２ａ、２ｂの構成要素に対応する部分には、同一符号を付して、その説明を省略する。この光端末ユニット２ｃでは、第２の参考例の光端末ユニット２ａと同様に、無バイアス状態において、光変調信号の入力レベルが大きくなっても、出力端子３４から出力される地上デジタルテレビジョン放送信号、ＦＭ放送信号及び衛星放送中間周波信号のレベルを大きくならないようにすることができる上に、逆バイアスを印加した状態にもすることができ、相互歪の発生を防止できる。
【００２４】
図８に本発明の第１の実施形態の光端末ユニット２ｄを示す。この光端末ユニット２ｄは、負荷を抵抗器４６としたものである。抵抗器４６は、フォトダイオード２６のアノードと接地電位との間に接続され、フォトダイオード２６のアノードと抵抗器４６との接続点がコンデンサ３２を介して出力端子３４に接続され、フォトダイオード２６のカソードは接地されている。この構成では、負荷として抵抗器４６を使用して、高周波トランス２８を使用していないので、より安価に構成することができる。
【００２５】
図９に第２の実施形態の光端末ユニット２ｅを示す。この光端末ユニット２ｅは、第１の実施形態の光端末ユニット２ｄに、第２の参考例と同様に逆バイアスをフォトダイオード２６に供給可能に、切換スイッチ４０と電池４４とを設けたもので、逆バイアスの電圧降下用の抵抗器４８が切換スイッチ４０の接触子４０ａとフォトダイオード２６のカソードとの間に接続されている。また、カソードはコンデンサ５０を介して接地されている。
【００２６】
図１０に第５の参考例の光端末ユニット２ｆを示す。この光端末ユニット２ｆは、第４の参考例の光端末ユニット２ｃの高周波トランス２８をタップ付きの高周波コイル５２に置換し、このタップから出力を取り出したものである。
【００２７】
上記の各実施形態では、光変調信号として、地上デジタルテレビジョン放送信号、ＦＭ放送信号及び衛星放送中間周波信号で光信号を変調したものを使用したが、これに加えてインターネット等において使用するデータ通信用の信号で光信号を変調したものを使用することもできる。
【符号の説明】
【００２８】
２ｄ  ２ｅ  光端末ユニット
２６  フォトダイオード
４６  抵抗器（負荷）
【図１】
2011078142.tif 000003
【図２】
2011078142.tif 000004
【図３】
2011078142.tif 000005
【図４】
2011078142.tif 000006
【図５】
2011078142.tif 000007
【図６】
2011078142.tif 000008
【図７】
2011078142.tif 000009
【図８】
2011078142.tif 000010
【図９】
2011078142.tif 000011
【図１０】
2011078142.tif 000012